(57)【要約】【課題】障害管理装置と装置管理装置との間の通信の正常性の確認を容易に行い得る障害管理装置等の提供。【解決手段】障害管理装置は、所定の動作を行う装置である動作装置から送付された障害情報により警報情報を送付する装置管理装置に対し、前記警報情報であることを表す情報と危険が偽であることを表す情報とを含む情報である擬似警報情報の送付を要求する情報である要求情報の送信を行う送信部と、前記送信の後に受信した情報が前記擬似警報情報であることを判定した場合に、前記擬似警報情報の受信状況により、前記装置管理装置との間の通信状況を表す情報である状況情報の導出及び出力を行う処理部と、を備える。【選択図】      図１
2018196021.tif 000002
【特許請求の範囲】
【請求項１】
所定の動作を行う装置である動作装置から送付された障害情報により警報情報を送付する装置管理装置に対し、前記警報情報であることを表す情報と危険が偽であることを表す情報とを含む情報である擬似警報情報の送付を要求する情報である要求情報の送信を行う送信部と、
前記送信の後に受信した情報が前記擬似警報情報であることを判定した場合に、前記擬似警報情報の受信状況により、前記装置管理装置との間の通信状況を表す情報である状況情報の導出及び出力を行う処理部と、
を備える、障害管理装置。
【請求項２】
前記送信部が、前記送付を定期的に行う、請求項１に記載された障害管理装置。
【請求項３】
前記受信状況に、前記送付から所定の時間内に前記擬似警報情報を受信したかについての情報が含まれる、請求項１又は請求項２に記載された障害管理装置。
【請求項４】
前記受信状況に、前記送付から前記擬似警報情報を受信するまでの時間についての情報が含まれる、請求項１乃至請求項３のうちのいずれか一に記載された障害管理装置。
【請求項５】
前記受信状況に、前記擬似警報情報を含む受信信号のノイズについての情報が含まれる、請求項１乃至請求項４のうちのいずれか一に記載された障害管理装置。
【請求項６】
前記装置が、複数の装置の各々である、請求項１乃至請求項５のうちのいずれか一に記載された障害管理装置。
【請求項７】
前記処理部が出力した前記状況情報により、前記通信状況についての判定を行う判定部と、
前記判定の判定結果の出力を行う出力部と、
をさらに備える、請求項１乃至請求項６のうちのいずれか一に記載された障害管理装置。
【請求項８】
前記判定結果の出力が、表示部、音声出力部及び通信回線のうちの少なくともいずれかへの出力である、請求項７に記載された障害管理装置。
【請求項９】
請求項１乃至請求項８のうちのいずれか一に記載された障害管理装置と、前記装置管理装置とを備える、障害管理システム。
【請求項１０】
所定の動作を行う装置である動作装置から送付された障害情報が所定の場合に、送付先に警報情報を送付すると共に、受信した要求情報により、前記警報情報のフォーマットと同様のフォーマットであり、真の前記警報情報ではない旨の情報が含まれている、擬似警報情報を、前記送付先に対して送付する装置管理装置に対し、前記要求情報の送付を行い、
前記擬似警報情報の受信状況により、前記装置管理装置との間の通信状況を表す情報である状況情報の導出を行い、
前記状況情報を出力する、
処理方法。
【発明の詳細な説明】
【技術分野】
【０００１】
本発明は、異常の監視に関する。
【背景技術】
【０００２】
所定の動作を行う動作装置がその動作に異常が生じた場合に装置管理装置に異常情報を送付し、その装置管理装置が送付された異常情報により障害管理システムに警報情報を送付する障害管理システムが一般的に用いられている。
【０００３】
そのような障害管理システムにおいては、一般的に、動作装置と装置管理装置との間での通信の正常についての確認がインタフェース間の通信等により行われる。また、そのような障害管理システムにおいては、一般的に、障害管理装置と装置管理装置との間での通信の正常についての確認は、装置管理装置に異常情報を入力して、警報情報が送付されるか否かを判定することにより行われる。
【０００４】
ここで、特許文献１は、警報入力機能を有した端末装置と、前記端末装置が送出した警報を受信して遠方監視を行い、かつ前記端末装置の保守機能を有するセンタ装置とを備える遠方監視システムを開示する。
【０００５】
また、特許文献２は、火災感知器が接続されている住宅情報盤と、各住戸の戸外に設けられ、当該住戸の上記住宅情報盤に接続されている戸外点検器と、上記各住宅情報盤に接続されている火災受信機とを備える警報システムを開示する。
【先行技術文献】
【特許文献】
【０００６】
【特許文献１】特開平０４−０５６５６０号公報
【特許文献２】特開２００４−１２６８２７号公報
【発明の概要】
【発明が解決しようとする課題】
【０００７】
しかしながら、背景技術の項で説明した、装置管理装置に異常情報を入力する方法は、警報を発生させるための、利用者等による作業に係る作業量や作業時間を要する。また、当該方法は、障害管理システムにおいてランプ点燈やブザー鳴動等の動作が伴うため、利用者等に対し、事前に試験のための警報発生であることを周知させ、また、警報発生後の復旧処理等を行う必要がある。このため、前記方法による障害管理装置と装置管理装置との接続の正常性の確認を頻繁に行うことは容易ではないという課題がある。
【０００８】
本発明は、障害管理装置と装置管理装置との間の通信の正常性の確認をより容易に行い得る障害管理装置等の提供を目的とする。
【課題を解決するための手段】
【０００９】
本発明の障害管理装置は、所定の動作を行う装置である動作装置から送付された障害情報により警報情報を送付する装置管理装置に対し、前記警報情報であることを表す情報と危険が偽であることを表す情報とを含む情報である擬似警報情報の送付を要求する情報である要求情報の送信を行う送信部と、前記送信の後に受信した情報が前記擬似警報情報であることを判定した場合に、前記擬似警報情報の受信状況により、前記装置管理装置との間の通信状況を表す情報である状況情報の導出及び出力を行う処理部と、を備える。
【発明の効果】
【００１０】
本発明の障害管理装置等は、障害管理装置と装置管理装置との間の通信の正常性の確認をより容易に行い得る。
【図面の簡単な説明】
【００１１】
【図１】本実施形態の障害管理システムの構成例を表す概念図である。
【図２】障害管理装置の構成例を表す概念図である。
【図３】装置管理装置の構成例を表す概念図である。
【図４】動作装置の構成例を表す概念図である。
【図５】擬似警報情報関連処理の第一の処理フロー例を表す概念図である。
【図６】Ｓ１０８の処理を置き換える処理を表す概念図である。
【図７】Ｓ１０８ｃの処理を置き換える処理を表す概念図である。
【図８】本実施形態の障害管理装置の最小限の構成を表すブロック図である。
【発明を実施するための形態】
【００１２】
［構成と動作］
図１は、本実施形態の障害管理システムの例である障害管理システム１０１の構成を表す概念図である。
【００１３】
障害管理システム１０１は、障害管理装置１１１と、装置管理装置１２１乃至１２ｎのｎ台の装置管理装置と、動作装置１３１乃至１３ｍのｍ台の装置を備える。
【００１４】
動作装置１３１乃至１３ｍの各々（以下、「各装置」という。）は、回線１４１ｃにより、装置管理装置１２１と接続されている。なお、回線１４１ｃは、無線でも有線でも構わない。
【００１５】
動作装置１３１乃至１３ｍの各々（各動作装置）は、所定の動作を行う。当該動作は任意である。各動作装置は、その動作装置が行う前記動作の正常性を監視する。そして、各動作装置は、その動作装置が行う動作に異常があることを判定した場合には、当該異常についての情報（第一情報）を、回線１４１ｃを通じて装置管理装置１２１に送付する。
【００１６】
各動作装置は、例えば、通信端末である。
【００１７】
装置管理装置１２１は、各動作装置を管理する管理装置である。装置管理装置１２１は、各動作装置から前記第一情報の送付があった場合は、前記第一情報の内容や数から、障害管理装置１１１に対して警報情報を送付するかについての判定を行う。
【００１８】
装置管理装置１２１は、障害管理装置１１１に対して警報情報を送付することを判定した場合には、警報情報を作成する。装置管理装置１２１は、当該警報情報に、まず、装置管理装置１２１が管理する動作装置において異常が発生した旨を表す情報が含める。装置管理装置１２１は、当該警報情報に、その他、異常の数や程度を表す情報を含めてもよい。
【００１９】
装置管理装置１２１は、また、障害管理装置１１１から、擬似警報情報の送付を要求する後述の要求情報の送付があったことを判定した場合には、障害管理装置１１１に対して、擬似警報情報を送付する。
【００２０】
擬似警報情報は、その情報が警報情報であることを表す情報と危険が偽であることを表す情報とを含む情報である。ただし、上述の危険が偽であることを表す情報は、前記警報情報の一部がないことにより危険が偽であることを表すものでも構わない。上述の危険が偽であることを表す情報は、警報情報が偽ものであることを表す情報であっても構わない。擬似警報情報は、例えば、警報情報と同じ形式（フォーマット）の情報である。しかしながら、擬似警報情報においては、その形式に、危険が偽である旨を表す情報が格納されている。
【００２１】
装置管理装置１２２乃至１２ｎの各々にも、動作装置１３１乃至１３ｍに相当する装置が所定の回線により接続されている。装置管理装置１２２乃至１２ｎの各々の動作は、上述の装置管理装置１２１の動作と同様である。
【００２２】
障害管理装置１１１は、装置管理装置１２１乃至１２ｎの各々（以下、「各装置管理装置」という。）から、回線１４１ｂを通じての警報情報の送付があった場合は、送付された警報情報を受けて作成された情報（第二情報）の出力を回線１４１ａに行う。なお、回線１４１ａ及び１４１ｂの各々は、無線でも有線でも構わない。
【００２３】
回線１４１ａは、例えば、図示しない出力装置に接続されている。そして、当該出力装置は回線１４１ｂを通じて送付された情報の出力を行う。当該出力装置は、例えば、表示装置や音声出力装置や通信装置である。
【００２４】
障害管理装置１１１は、また、所定のタイミングで、各装置管理装置に対して、擬似警報情報の送付を要求する後述の要求情報の送付を行う。障害管理装置１１１は、当該要求情報の送付を、各装置管理装置に対し、一度に行っても構わない。また、障害管理装置１１１が当該要求情報の送付を行うタイミングは、二台以上の装置管理装置において、それぞれ、異なっていても構わない。
【００２５】
そして、障害管理装置１１１は、当該要求情報を受けた擬似警報情報の送付が各装置管理装置からあったかについての判定を行う。そして、障害管理装置１１１は、擬似警報情報の送付がない装置管理装置がある旨の判定を行った場合には、例えば、擬似警報情報の送付がない装置管理装置を表す情報（第三情報）を、回線１４１ａに出力する。回線１４１ａに接続された図示しない出力装置は当該情報を出力する。
【００２６】
障害管理装置１１１は、前記第二情報に、各装置管理装置からの擬似警報情報の受信状況を表す情報である受信状況情報を含めてもよい。当該受信状況情報は、例えば、前記要求情報の送付からその要求情報についての擬似警報情報の受信までの時間である。あるいは、前記受信状況情報は、例えば、その擬似警報情報の受信に係る受信電界強度やノイズレベルやＳ／Ｎである。ここで、Ｓ／Ｎは、Ｓｉｇｎａｌ  ｔｏ  Ｎｏｉｓｅ  Ｒａｔｉｏの略である。
【００２７】
図２は、図１に表す障害管理装置１１１の例である障害管理装置１１１ａの構成を表す概念図である。
【００２８】
障害管理装置１１１ａは、出力部２１６と処理部２１２と通信部２１１と記録部２１７を備える。
【００２９】
通信部２１１は、図１に表す装置管理装置１２１乃至１２ｎの各々（各装置管理装置）から回線１４１ｂを通じて送付された情報を受信する。通信部２１１は、当該受信の時刻を特定する。ここで、通信部２１１は時計を利用できることを前提としている。通信部２１１は、受信した情報とその情報を受信した時刻とを、処理部２１２に送る。
【００３０】
通信部２１１は、また、処理部２１２からの指示により、指示された情報を、指示された装置管理装置に対し、回線１４１ｂを通じて送信する。通信部２１１は、当該送信の時刻を特定する。通信部２１１は、特定した前記送信時刻を、処理部２１２に送る。
【００３１】
処理部２１２は、通信部２１１から、各装置管理装置からの受信情報とその受信情報の受信時刻とが送られた場合は、その受信情報とその受信時刻とを、その受信情報を送付した装置管理装置のＩＤとひも付けた情報を、記録部２１７に記録させる。ここで、ＩＤは、Ｉｄｅｎｔｉｆｉｅｒの略である。そして、処理部２１２は、記録した記録情報が警報情報であるかについての判定を行う。処理部２１２は、記録情報が警報情報であることを判定した場合は、出力部２１６に対し、前述の第二情報の回線１４１ａへの出力を指示する。
【００３２】
処理部２１２は、前記受信情報が警報情報ではないことを判定した場合は、記録情報が擬似警報情報かについての判定を行う。処理部２１２は、記録情報が警報情報であることを判定した場合は、出力部２１６に対し、前述の第三情報の、回線１４１ａへの出力を指示する。
【００３３】
出力部２１６は、処理部２１２の指示により、指示された情報を、回線１４１ａに出力する。
【００３４】
記録部２１７は、予め、所定の情報（保持情報）を保持する。当該保持情報には、出力部２１６、処理部２１２及び通信部２１１の各々が上記動作を行うためのプログラムや情報が含まれる。
【００３５】
記録部２１７は、また、出力部２１６、処理部２１２及び通信部２１１のいずれかから情報の記録を指示された場合は、その指示された情報を記録する。記録部２１７は、また、出力部２１６、処理部２１２及び通信部２１１のいずれかから、保持している情報の送付を指示された場合は、その指示に従い、指示された情報を送付する。
【００３６】
図３は、図１に表す装置管理装置１２１乃至１２ｎの各々の例である装置管理装置１２１ａの構成を表す概念図である。
【００３７】
装置管理装置１２１ａは、通信部２２１ａと処理部２２２と通信部２２１ｂと記録部２２７とを備える。
【００３８】
通信部２２１ａは、回線１４１ｂを通じて送付された情報を受信した場合には、受信情報を処理部２２２に送付する。
【００３９】
通信部２２１ａは、また、処理部２２２の指示に従い指示された情報を、回線１４１ｂを通じて送信する。
【００４０】
処理部２２２は、通信部２２１ｂから送られた情報が前述の第一情報である場合には、その第一情報を記録部２２７に記録させる。そして、処理部２２２は、所定のタイミングにおいて、そのタイミングにおいて記録されている前記第一情報の内容や数から、障害管理装置１１１に対して前述の警報情報を送付するかについての判定を行う。
【００４１】
処理部２２２は、前記警報情報を送付することを判定した場合には、前記警報情報を作成する。そして、処理部２２２は、通信部２２１ａに対し、作成した前記警報情報の図１に表す障害管理装置１１１への送付を指示する。
【００４２】
処理部２２２は、また、通信部２２１ａから前述の要求情報が送られた場合は、前述の擬似警報情報を作成する。そして、処理部２２２は、通信部２２１ａに対して、作成した前記擬似警報情報の、回線１４１ｂを通じての図１に表す障害管理装置１１１への送付を指示する。
【００４３】
通信部２２１ｂは、回線１４１ｃを通じて送付された情報を受信した場合には、受信情報を処理部２２２に送付する。
【００４４】
通信部２２１ｂは、また、処理部２２２の指示に従い指示された情報を、回線１４１ｃを通じて、動作装置１３１乃至１３ｍのうちの指示された装置に送信する。
【００４５】
記録部２２７は、予め、所定の情報（保持情報）を保持する。当該保持情報には、通信部２２１ａ、処理部２２２及び通信部２２１ｂの各々が上記動作を行うためのプログラムや情報が含まれる。
【００４６】
記録部２２７は、また、通信部２２１ａ、処理部２２２及び通信部２２１ｂのいずれかから情報の記録を指示された場合は、その指示された情報を記録する。記録部２２７は、また、通信部２２１ａ、処理部２２２及び通信部２２１ｂのいずれかから保持している情報の送付を指示された場合は、その指示に従い、指示された情報を、通信部２２１ａ、処理部２２２及び通信部２２１ｂのうちの指示されたものに送付する。
【００４７】
図４は、図１に表す動作装置１３１乃至１３ｍの各々の例である動作装置１３１ａの構成を表す概念図である。
【００４８】
動作装置１３１ａは、通信部２３１と、処理部２３２と、取得部２３３と、記録部２３７と、動作部２３４とを備える。
【００４９】
動作部２３４は、前述の所定の動作を行う。
【００５０】
取得部２３３は、動作部２３４における前記動作の異常の有無を表す取得情報を取得する。取得部２３３は、取得情報を処理部２３２に送る。
【００５１】
処理部２３２は、取得部２３３が送った取得情報を記録部２３７に記録させる。そして、処理部２３２は、当該取得情報が動作部２３４の前記動作の異常を表すかについての判定を行う。処理部２３２は、前記取得情報が前記動作の異常を表すものであることを判定した場合は、前述の第一情報を作成する。そして、処理部２３２は、作成した前記第一情報の回線１４１ｃを通じての図１に表す装置管理装置１２１への送信を、通信部２３１に対し指示する。
【００５２】
通信部２３１は、処理部２３２からの指示により、指示された情報を、装置管理装置１２１に対し回線１４１ｃを通じて送信する。
【００５３】
記録部２３７は、予め、所定の情報（保持情報）を保持する。当該保持情報には、通信部２３１、処理部２３２及び取得部２３３の各々が上記動作を行うためのプログラムや情報が含まれる。
【００５４】
記録部２３７は、また、通信部２３１、処理部２３２及び取得部２３３のいずれかから情報の記録を指示された場合は、その指示された情報を記録する。記録部２３７は、また、通信部２３１、処理部２３２及び取得部２３３のいずれかから保持している情報の送付を指示された場合は、その指示に従い、指示された情報を送付する。
［処理フロー例］
図５は、図２に表す処理部２１２が行う、擬似警報情報関連の処理の第一の処理フロー例を表す概念図である。
【００５５】
処理部２１２は、例えば、外部からの開始情報の入力により、図５に表す処理を開始する。
【００５６】
次に、処理部２１２は、Ｓ１０１の処理として、Ｓ１０１の処理の開始を起点とする経過時間の計測を開始する。ここで、処理部２１２は、タイマーを利用できることを前提にしている。
【００５７】
そして、処理部２１２は、Ｓ１０２の処理として、経過時間が時間Ｔ１を越えたかについての判定を行う。ここで、時間Ｔ１は、Ｓ１０２の処理のために予め定められた経過時間についての閾値である。
【００５８】
以上説明したＳ１０１及びＳ１０２の処理は、後述のＳ１１１の処理を行う時間間隔を設定するために設けられたものである。
【００５９】
処理部２１２は、Ｓ１０２の処理による判定結果がｙｅｓの場合は、Ｓ１０３の処理を行う。
【００６０】
一方、処理部２１２は、Ｓ１０２の処理による判定結果がｎｏの場合は、Ｓ１０２の処理を再度行う。
【００６１】
処理部２１２は、Ｓ１０３の処理を行う場合は、同処理として、前述の送付要求の各装置管理装置への送付を、図２に表す通信部２１１に対して指示する。
【００６２】
そして、処理部２１２は、Ｓ１０４の処理として、Ｓ１０４の処理の開始を起点とする経過時間の計測を開始する。
【００６３】
そして、処理部２１２は、Ｓ１０５の処理として、経過時間が時間Ｔ２を越えたかについての判定を行う。
【００６４】
処理部２１２は、Ｓ１０５の処理による判定結果がｙｅｓの場合は、Ｓ１０６の処理を行う。
【００６５】
一方、処理部２１２は、Ｓ１０５の処理による判定結果がｎｏの場合は、Ｓ１０５の処理を再度行う。
【００６６】
処理部２１２は、Ｓ１０６の処理を行う場合は、同処理として、直近のＳ１０５の処理によりｙｅｓの判定結果を得て以降にＳ１０７の処理を行っていない装置管理装置の一つを選択する。
【００６７】
そして、処理部２１２は、Ｓ１０７の処理として、直近のＳ１０６の処理により選択した装置管理装置から擬似警報情報の送付があったかについての判定を行う。
【００６８】
処理部２１２は、Ｓ１０７の処理による判定結果がｙｅｓの場合は、Ｓ１０８の処理を行う。
【００６９】
一方、処理部２１２は、Ｓ１０７の処理による判定結果がｎｏの場合は、Ｓ１０９の処理を行う。
【００７０】
処理部２１２は、Ｓ１０８の処理を行う場合は、同処理として、直近のＳ１０６の処理により選択した装置管理装置について擬似警報情報の送付があった旨を表す情報を作成する。処理部２１２は、作成した情報を、図２に表す記録部２１７に記録させる。そして、処理部２１２はＳ１１０の処理を行う。
【００７１】
処理部２１２は、Ｓ１０９の処理を行う場合は、同処理として、直近のＳ１０６の処理により選択した装置管理装置について擬似警報情報の送付がなかった旨を表す情報を作成する。処理部２１２は、作成した情報を、図２に表す記録部２１７に記録させる。そして、処理部２１２はＳ１１０の処理を行う。
【００７２】
処理部２１２は、Ｓ１１０の処理を行う場合は、同処理として、すべての装置管理装置について、直近のＳ１０５の処理によりｙｅｓの判定結果を得て以降のＳ１０８又はＳ１０９の処理による記録がされているかについての判定を行う。
【００７３】
処理部２１２は、Ｓ１１０の処理による判定結果がｙｅｓの場合は、Ｓ１１１の処理を行う。
【００７４】
一方、処理部２１２は、Ｓ１１０の処理による判定結果がｎｏの場合は、Ｓ１０６の処理を再度行う。
【００７５】
処理部２１２は、Ｓ１１１の処理を行う場合は、同処理として、直近のＳ１０５の処理によりｙｅｓの判定結果を得て以降のＳ１０８又はＳ１０９の処理により記録された情報の出力指示を、図２に表す出力部２１６に対して行う。当該情報は、各装置管理装置についての、Ｓ１０８又はＳ１０９の処理により記録された情報である。
【００７６】
そして、処理部２１２は、Ｓ１１２の処理として、図５に表す処理を終了するかについての判定を行う。処理部２１２は、当該判定を、例えば、外部からの終了情報の入力の有無を判定することにより行う。
【００７７】
処理部２１２は、Ｓ１１２の処理による判定結果がｙｅｓの場合は、図５に表す処理を終了する。
【００７８】
一方、処理部２１２は、Ｓ１１２の処理による判定結果がｎｏの場合は、Ｓ１０１の処理を再度行う。
【００７９】
図２に表す処理部２１２が行う、擬似警報情報関連の処理の第二の処理フロー例は、図５に表すＳ１０８の処理を、図６に表す処理で置き換えたものである。
【００８０】
図６は、Ｓ１０８の処理を置き換える処理を表す概念図である。
【００８１】
処理部２１２は、図５に表すＳ１０７の処理による判定結果がｙｅｓの場合は、Ｓ１０８ａの処理を行う。
【００８２】
処理部２１２は、Ｓ１０８ａの処理を行う場合は、同処理として、図５に表す直近のＳ１０６の処理により選択した装置管理装置から受信した擬似警報情報の受信時刻を特定する。前述のように、当該受信時刻は、図２に表す通信部２１１から送付されるものである。
【００８３】
そして、処理部２１２は、Ｓ１０８ｂの処理として、直近のＳ１０６の処理により選択した装置管理装置についての、送付要求の送付から擬似警報情報の受信までの時間を導出する。
【００８４】
そして、処理部２１２は、Ｓ１０８ｃの処理として、Ｓ１０８ｂの処理により導出した時間を表す情報を作成する。処理部２１２は、当該情報を、図２に表す記録部２１７に記録させる。
【００８５】
そして、処理部２１２は、図５に表すＳ１１０の処理を行う。
【００８６】
図５に表すＳ１０８の処理を、図６に表す処理で置き換えた場合の、図５の説明は、Ｓ１０８をＳ１０８ｃに読み替えたものである。
【００８７】
図２に表す処理部２１２が行う、擬似警報情報関連の処理の第三の処理フロー例は、図６に表すＳ１０８ｃの処理を、図７に表す処理で置き換えたものである。
【００８８】
図７は、図６に表すＳ１０８ｃの処理を置き換える処理を表す概念図である。
【００８９】
処理部２１２は、図６に表すＳ１０８ｂの処理の次にＳ１０８ｄの処理を行う。
【００９０】
処理部２１２は、Ｓ１０８ｄの処理を行う場合は、同処理として、直近のＳ１０８ｃの処理により導出した時間が時間Ｔ３以上かについての判定を行う。ここで、時間Ｔ３は、Ｓ１０８ｄの処理のために予め定められた、Ｓ１０８ｃの処理により導出した時間についての閾値である。時間Ｔ３は、Ｓ１０８ｃの処理により導出した時間が時間Ｔ３以上である場合は、大きな遅延が発生していることを判定する趣旨で定められた値である。
【００９１】
処理部２１２は、Ｓ１０８ｄの処理による判定結果がｎｏの場合は、Ｓ１０８ｅの処理を行う。
【００９２】
一方、処理部２１２は、Ｓ１０８ｄの処理による判定結果がｙｅｓの場合は、Ｓ１０８ｆの処理を行う。
【００９３】
処理部２１２は、Ｓ１０８ｅの処理を行う場合は、同処理として、図５に表す直近のＳ１０６の処理により選択した装置管理装置からの擬似警報情報の到達が正常であった旨を表す情報を作成する。処理部２１２は、当該情報を、図２に表す記録部２１７に記録させる。
【００９４】
処理部２１２は、Ｓ１０８ｆの処理を行う場合は、同処理として、図５に表す直近のＳ１０６の処理により選択した装置管理装置からの擬似警報情報の到達に大きな遅延があった旨を表す情報を作成する。処理部２１２は、当該情報を、図２に表す記録部２１７に記録させる。
【００９５】
そして、処理部２１２は、図５に表すＳ１１０の処理を行う。
【００９６】
図６に表すＳ１０８ｃの処理を、図７に表す処理で置き換えた場合の、図５の説明は、Ｓ１０８を、Ｓ１０８ｅ又はＳ１０８ｆ、に読み替えたものである。
［効果］
本実施形態の障害管理システムは、障害管理装置が各装置管理装置に対して送付した要求情報により、各装置管理装置は障害管理装置に対して擬似警報情報を送付する。そして、障害管理装置は、送付した要求情報を受けて各装置管理装置から送付された擬似警報情報を受信したか、又は、遅延時間等の当該擬似警報情報の受信状況から、障害管理装置との間の通信の状態を判定し、判定結果を出力する。そのため、前記障害管理システムは利用者等に、前記通信の異常の有無を知らせることができる。従い、前記障害管理システムは利用者等に、前記異常が発生した際に当該異常に対する対応の実施を可能にする。
【００９７】
前記障害管理システムにおいては、前記要求情報は、前記障害管理装置により送付される。そのため、前記障害管理システムにおいては、背景技術の項で説明した障害管理装置と装置管理装置との間の通信の正常性確認方法のように、装置管理装置に対して、異常情報を入力する必要がない。そのため、前記障害管理システムにおいては、警報を発生させるための、利用者等による作業に係る作業量や作業時間が必要ない。
【００９８】
また、擬似警報情報は、真の警報情報でない旨の情報を含むので、受け取る部位に対し真の警報情報とは異なる情報として認識させることが可能である。そのため、擬似警報情報を受け取った部位がランプ点燈やブザー鳴動等の動作を行わないように設定することが可能である。そのため、前記障害管理システムは、利用者等に対し、事前に試験のための警報発生であることを周知させ、また、警報発生後の復旧処理等を行うことが必要ないようにすることができる。このため、前記障害管理システムは、障害管理装置と装置管理装置との接続の正常性の確認を行うことをより容易にする。
【００９９】
図８は、本実施形態の障害管理装置の最小限の構成である障害管理装置１１１ｘの構成を表すブロック図である。
【０１００】
障害管理装置１１１ｘは、送信部２１１ａｘと、処理部２１２ａｘとを備える。
【０１０１】
送信部２１１ａｘは、装置管理装置に対し、警報情報であることを表す情報と危険が偽であることを表す情報とを含む情報である擬似警報情報の送付を要求する情報である要求情報の送信を行う。前記装置管理装置は、所定の動作を行う装置である動作装置から送付された障害情報により前記警報情報を送付する装置である。ただし、上述の、危険が偽であることを表す情報は、前記警報情報の一部がないことにより危険が偽であることを表すものでも構わない。
【０１０２】
処理部２１２ａｘは、前記要求情報の前記送信の後に受信した情報が前記擬似警報情報であることを判定した場合に、前記擬似警報情報の受信状況により、前記装置管理装置との間の通信状況を表す情報である状況情報の導出及び出力を行う。
【０１０３】
障害管理装置１１１ｘが前記装置管理装置に対して送付した要求情報により、前記装置管理装置は障害管理装置に対して擬似警報情報を送付する。そして、障害管理装置は、送付した要求情報を受けて各装置管理装置から送付された擬似警報情報の受信状況に係る状況情報を出力する。そのため、障害管理装置１１１ｘの利用者等は、前記状況情報により障害管理装置１１１ｘと前記装置管理装置との間の通信の異常を知ることができる。従い、障害管理装置１１１ｘは利用者等に、前記異常に対する対応の実施を可能にする。
【０１０４】
さらに、前記要求情報は、障害管理装置１１１ｘにより送付される。そのため、障害管理装置１１１ｘは、背景技術の項で説明した障害管理装置と装置管理装置との間の通信の正常性確認方法のように、装置管理装置に対して、異常情報を入力する必要をなくす。そのため、障害管理装置１１１ｘは、警報情報を発生させるための、利用者等による作業に係る作業量や作業時間が必要ない。
【０１０５】
また、擬似警報情報は、真の警報情報でない旨の情報を含むので、受け取る部位に対し真の警報情報とは異なる情報として認識させることが可能である。そのため、障害管理装置１１１ｘは、擬似警報情報を受け取った部位がランプ点燈やブザー鳴動等の動作を行わないように設定することを可能にする。そのため、障害管理装置１１１ｘは、利用者等に対し、事前に試験のための警報発生であることを周知させ、また、警報発生後の復旧処理等を行うことが必要ないようにすることができる。このため、障害管理装置１１１ｘは、障害管理装置と装置管理装置との接続の正常性の確認を行うことをより容易にする。
【０１０６】
そのため、障害管理装置１１１ｘは、前記構成により、［発明の効果］の項に記載した効果を奏する。
【０１０７】
以上、本発明の各実施形態を説明したが、本発明は、前記した実施形態に限定されるものではなく、本発明の基本的技術的思想を逸脱しない範囲で更なる変形、置換、調整を加えることができる。例えば、各図面に示した要素の構成は、本発明の理解を助けるための一例であり、これらの図面に示した構成に限定されるものではない。
【０１０８】
また、前記の実施形態の一部又は全部は、以下の付記のようにも記述され得るが、以下には限られない。
【０１０９】
（付記Ａ１）
所定の動作を行う装置である動作装置から送付された障害情報により警報情報を送付する装置管理装置に対し、前記警報情報であることを表す情報と危険が偽であることを表す情報とを含む情報である擬似警報情報の送付を要求する情報である要求情報の送信を行う送信部と、
前記送信の後に受信した情報が前記擬似警報情報であることを判定した場合に、前記擬似警報情報の受信状況により、前記装置管理装置との間の通信状況を表す情報である状況情報の導出及び出力を行う処理部と、
を備える、障害管理装置。
【０１１０】
（付記Ａ２）
前記送信部が、前記送付を所定のタイミングで行う、付記Ａ１に記載された障害管理装置。
【０１１１】
（付記Ａ３）
前記送信部が、前記送付を定期的に行う、付記Ａ１又は付記Ａ２に記載された障害管理装置。
【０１１２】
（付記Ａ４）
前記受信状況に、前記送付から所定の時間内に前記擬似警報情報を受信したかについての情報が含まれる、付記Ａ１乃至付記Ａ３のうちのいずれか一に記載された障害管理装置。
【０１１３】
（付記Ａ５）
前記受信状況に、前記送付から前記擬似警報情報を受信するまでの時間についての情報が含まれる、付記Ａ１乃至付記Ａ４のうちのいずれか一に記載された障害管理装置。
【０１１４】
（付記Ａ６）
前記受信状況に、前記擬似警報情報を含む受信信号のノイズについての情報が含まれる、付記Ａ１乃至付記Ａ５のうちのいずれか一に記載された障害管理装置。
【０１１５】
（付記Ａ７）
前記受信状況に、前記擬似警報情報を含む受信信号のＳｉｇｎａｌ  ｔｏ  Ｎｏｉｓｅ  Ｒａｔｉｏについての情報が含まれる、付記Ａ１乃至付記Ａ６のうちのいずれか一に記載された障害管理装置。
【０１１６】
（付記Ａ８）
前記装置が、複数の装置の各々である、付記Ａ１乃至付記Ａ７のうちのいずれか一に記載された障害管理装置。
【０１１７】
（付記Ａ９）
前記装置管理装置が、複数の装置管理装置の各々である、付記Ａ１乃至付記Ａ８のうちのいずれか一に記載された障害管理装置。
【０１１８】
（付記Ａ１０）
前記処理部が出力した前記状況情報により、前記通信状況についての判定を行う判定部と、
前記判定の判定結果の出力を行う出力部と、
をさらに備える、付記Ａ１乃至付記Ａ９のうちのいずれか一に記載された障害管理装置。
【０１１９】
（付記Ａ１１）
前記判定結果の出力が、表示部、音声出力部及び通信回線のうちの少なくともいずれかへの出力である、付記Ａ１０に記載された障害管理装置。
【０１２０】
（付記Ｂ１）
付記Ａ１乃至付記Ａ１１のうちのいずれか一に記載された障害管理装置と、前記装置管理装置とを備える、障害管理システム。
【０１２１】
（付記Ｂ２）
前記動作装置をさらに備える、付記Ｂ１に記載された障害管理システム。
【０１２２】
（付記Ｃ１）
所定の動作を行う装置である動作装置から送付された障害情報により警報情報を送付する装置管理装置に対し、前記警報情報であることを表す情報と危険が偽であることを表す情報とを含む情報である擬似警報情報の送付を要求する情報である要求情報の送信を行い、
送付された情報の受信を行い、
前記送信の後に受信した情報が前記擬似警報情報であることを判定した場合に、前記擬似警報情報の受信状況により、前記装置管理装置との間の通信状況を表す情報である状況情報の導出を行い、
前記状況情報を出力する、
処理方法。
【０１２３】
（付記Ｄ１）
所定の動作を行う装置である動作装置から送付された障害情報により警報情報を送付する装置管理装置に対し、前記警報情報であることを表す情報と危険が偽であることを表す情報とを含む情報である擬似警報情報の送付を要求する情報である要求情報の送信を行う処理と、
送付された情報の受信を行う処理と、
前記送信の後に受信した情報が前記擬似警報情報であることを判定した場合に、前記擬似警報情報の受信状況により、前記装置管理装置との間の通信状況を表す情報である状況情報の導出を行う処理と、
前記状況情報を出力する処理と、
をコンピュータに実行させる処理プログラム。
【符号の説明】
【０１２４】
１０１    障害管理システム
１１１、１１１ａ、１１１ｘ    障害管理装置
１２１、１２１ａ、１２１ａ、１２２、１２ｎ    装置管理装置
１３１、１３１ａ、１３２、１３ｍ    動作装置
１４１ａ、１４１ｂ、１４１ｃ    回線
２１１、２２１ａ、２２１ｂ、２３１    通信部
２１１ａｘ    送信部
２１１ｂｘ    受信部
２１２、２２２、２３２    処理部
２１２ａｘ    処理部
２１６  出力部
２１７、２２７、２３７    記録部
２３３    取得部
２３４    動作部
【図１】
2018196021.tif 000003
【図２】
2018196021.tif 000004
【図３】
2018196021.tif 000005
【図４】
2018196021.tif 000006
【図５】
2018196021.tif 000007
【図６】
2018196021.tif 000008
【図７】
2018196021.tif 000009
【図８】
2018196021.tif 000010